(57)【要約】【課題】ロック付コルゲートチューブ内に線状体を通しつつ、ロック付コルゲートチューブのスリットを閉じるようにロックできるようにすること。【解決手段】ワイヤーハーネスを案内する線状体案内部２４と、ロック付コルゲートチューブを、スリットで広げつつ、線状体案内部２４で案内されるワイヤーハーネスに対して被覆可能に案内するチューブ案内部２８と、ワイヤーハーネスに被覆されたロック付コルゲートチューブをロックするように、ロック付コルゲートチューブをその両側から挟むロック用挟込部３０とを備えている。【選択図】図３
2008301614.tif 000002
【特許請求の範囲】
【請求項１】
スリットとそのスリットを閉じるようにロックするロック部とを有するロック付コルゲートチューブを線状体に取付けるためのロック付コルゲートチューブ取付治具であって、
前記線状体を案内する線状体案内部と、
前記ロック付コルゲートチューブを、前記スリットで広げつつ、前記線状体案内部で案内される前記線状体に対して被覆可能に案内するチューブ案内部と、
前記線状体に被覆された前記ロック付コルゲートチューブのロック部をロックするように、前記ロック付コルゲートチューブをその両側から挟込み可能なロック用挟込部と、
を備えたロック付コルゲートチューブ取付治具。
【請求項２】
請求項１記載のロック付コルゲートチューブ取付治具であって、
板状部材を略Ｕ字状に曲げることで形成され、その曲げ部分が前記線状体案内部に形成されると共に、その線状体案内部を挟む両側片部分の外辺部分が、外側に向けて延出しかつ前記線状体案内部による前記線状体の案内通路の延在方向に対して斜行する方向に延在するフランジ部を有する前記チューブ案内部に形成された治具本体部を備えたロック付コルゲートチューブ取付治具。
【請求項３】
請求項２記載のロック付コルゲートチューブ取付治具であって、
前記ロック用挟込部は、前記線状体案内部を挟む両側片部分のそれぞれに前記線状体案内部から前記フランジ部側に離れた位置に固定され、前記線状体案内部による前記線状体の案内通路延長上に向けて延出する一対のロック片を有する、ロック付コルゲートチューブ取付治具。
【請求項４】
請求項３記載のロック付コルゲートチューブ取付治具であって、
前記一対のロック片は、外方に迂回するように屈曲しつつ前記線状体案内部による前記線状体の案内通路延長上に向けて延出すると共に、前記ロック付コルゲートチューブの外径に応じて弾性変形可能に形成されている、ロック付コルゲートチューブ取付治具。
【請求項５】
請求項３又は請求項４に記載のロック付コルゲートチューブ取付治具であって、
前記一対のロック片の先端側にある接触部が内側に曲げられた、ロック付コルゲートチューブ取付治具。
【請求項６】
請求項３〜請求項５のいずれかに記載のロック付コルゲートチューブ取付治具であって、
前記一対のロック片の先端部の内面が、前記ロック付コルゲートチューブの外周囲形状に沿った弧状形状を有している、ロック付コルゲートチューブ取付治具。
【発明の詳細な説明】
【技術分野】
【０００１】
この発明は、電線束等の線状体をロック付コルゲートチューブ内に通して、当該ロック付コルゲートチューブを線状体に取付ける技術に関する。
【背景技術】
【０００２】
コイルゲートチューブを電線束に取付ける治具として、特許文献１に開示のものがある。
【０００３】
特許文献１は、Ｕ字状の治具の底部を電線束のガイド部に形成すると共に、その両側部の上辺にコルゲートチューブ案内のためのフランジ縁を形成したコルゲートチューブ取付治具を開示している。そして、前記底部に電線束をあてがうとともに、フランジ縁をコルゲートチューブ内に挿入して、コルゲートチューブを電線束の方向に送出すことで、フランジ縁によってスリットが拡開されてコルゲートチューブが電線束に連続的に被せられるようになっている。
【０００４】
【特許文献１】特開平７−２４５８４０号公報
【発明の開示】
【発明が解決しようとする課題】
【０００５】
ところで、近年、コルゲートチューブのスリットに、当該スリットを閉じた状態で維持するロック部を設けた構成が提案されている。
【０００６】
このようなロック付コルゲートチューブの使用を想定した場合、特許文献１に開示のコルゲートチューブ取付治具では、ロック付コルゲートチューブ内に線状体を通した後、別途、そのスリットを閉じるようにロックする作業を行う必要がある。
【０００７】
そこで、本発明は、ロック付コルゲートチューブ内に線状体を通しつつ、ロック付コルゲートチューブのスリットを閉じるようにロック部をロックできるようにすることを目的とする。
【課題を解決するための手段】
【０００８】
上記課題を解決するため、第１の態様は、スリットとそのスリットを閉じるようにロックするロック部とを有するロック付コルゲートチューブを線状体に取付けるためのロック付コルゲートチューブ取付治具であって、前記線状体を案内する線状体案内部と、前記ロック付コルゲートチューブを、前記スリットで広げつつ、前記線状体案内部で案内される前記線状体に対して被覆可能に案内するチューブ案内部と、前記線状体に被覆された前記ロック付コルゲートチューブのロック部をロックするように、前記ロック付コルゲートチューブをその両側から挟込み可能なロック用挟込部と、を備えたものである。
【０００９】
第２の態様は、第１の態様において、板状部材を略Ｕ字状に曲げることで形成され、その曲げ部分が前記線状体案内部に形成されると共に、その線状体案内部を挟む両側片部分の外辺部分が、外側に向けて延出しかつ前記線状体案内部による前記線状体の案内通路の延在方向に対して斜行する方向に延在するフランジ部を有する前記チューブ案内部に形成された治具本体部を備えたものである。
【００１０】
第３の態様は、第２の態様であって、前記ロック用挟込部は、前記線状体案内部を挟む両側片部分のそれぞれに前記線状体案内部から前記フランジ部側に離れた位置に固定され、前記線状体案内部による前記線状体の案内通路延長上に向けて延出する一対のロック片を有するものである。
【００１１】
第４の態様は、第３の態様であって、前記一対のロック片は、外方に迂回するように屈曲しつつ前記線状体案内部による前記線状体の案内通路延長上に向けて延出すると共に、前記ロック付コルゲートチューブの外径に応じて弾性変形可能に形成されているものである。
【００１２】
第５の態様は、第３又は第４の態様であって、前記一対のロック片の先端側にある接触部が内側に曲げられたものである。
【００１３】
第６の態様は、第３〜第５のいずれかの態様であって、前記一対のロック片の先端部の内面が、前記ロック付コルゲートチューブの外周囲形状に沿った弧状形状を有しているものである。
【発明の効果】
【００１４】
第１の態様に係るロック付コルゲートチューブ取付治具によると、線状体案内部で線状体を案内すると共に、チューブ案内部でロック付コルゲートチューブを案内することで、線状体に対してロック付コルゲートチューブを被覆しつつ、ロック用挟込部で、ロック付コルゲートチューブのロック部をロックできる。
【００１５】
第２の態様によると、板状部材を適宜折曲げ等することで、比較的容易に線状体案内部及びチューブ案内部を形成することができる。
【００１６】
第３の態様によると、前記ロック用挟込部は、前記線状体案内部を挟む両側片部分のそれぞれに前記線状体案内部から前記フランジ部側に離れた位置に固定されているので、ロック用挟込部と治具本体部とを一体化でき、また、ロック用挟込部に挟込む力を加えた場合にも、線状体案内部が狭まりにくく線状体を容易に通過させることができる。
【００１７】
第４の態様によると、一対のロック片は、外方に迂回するように屈曲しつつ、前記線状体案内部による前記線状体の案内通路延長上に向けて延出すると共に、前記ロック付コルゲートチューブの外径に応じて弾性変形可能に形成されているので、一対のロック片を弾性変形させてその先端側の接触部の間隔を適宜調整することで、多様な外径のロック付コルゲートチューブをロックすることができる。
【００１８】
第５の態様によると、前記一対のロック片の先端側にある接触部が内側に曲げられているので、ロックする力を局所に集中させることができ、より確実にロック付コルゲートチューブをロックすることができる。
【００１９】
第６の態様によると、前記一対のロック片の先端部の内面が、前記ロック付コルゲートチューブの外周囲形状に沿った弧状形状を有しているため、ロック片とロック付コルゲートチューブとのずれを防止でき、ロック付コルゲートチューブをより確実にロックできる。
【発明を実施するための最良の形態】
【００２０】
以下、実施形態に係るロック付コルゲートチューブ取付治具について説明する。
【００２１】
まず、対象となるロック付コルゲートチューブ及び線状体について説明しておく。図１は線状体であるワイヤーハーネスにロック付コルゲートチューブを取付けた状態を示す平面図であり、図２はロック付コルゲートチューブを示す断面図である。
【００２２】
ワイヤーハーネスＷＨは、複数の電線Ｗを束ねることで形成されている。本実施形態では、線状体がワイヤーハーネスＷＨである例で説明するが、ロック付コルゲートチューブ１０の取付対象となる線状体としては、その他、単線の電線であってもよく、また、光ファイバケーブル等を含んでいてもよい。
【００２３】
ロック付コルゲートチューブ１０は、ワイヤーハーネスＷＨを覆うように当該ワイヤーハーネスＷＨに取付けられる部材であり、樹脂等で形成された略筒状の形状を有している。このロック付コルゲートチューブ１０は蛇腹形状等を有しており、屈曲可能に形成されている。また、ロック付コルゲートチューブ１０には、その延在方向に沿ってスリット１２が形成されており、当該スリット１２でロック付コルゲートチューブ１０を割開くようにすることで、ワイヤーハーネスＷＨをロック付コルゲートチューブ１０内に挿入配置できるようになっている。また、ロック付コルゲートチューブ１０のスリット１２部分には、当該スリット１２を閉じた状態で保持するロック部１４が設けられている。ここでは、ロック付コルゲートチューブ１０のうちスリット１２を挟む一側部内周部に凹部１４ａが形成されると共に、他側部内周部に前記凹部１４ａにその内周側から係脱自在なロック爪部１４ｂが形成されている。そして、開かれたスリット１２を閉じるようにロック付コルゲートチューブ１０を両側から挟込むような力を加えることで、ロック爪部１４ｂが凹部１４ａに係合し、上記スリット１２が閉じた状態に保持されるようになっている。なお、上記ロック部１４の構成は例示であり、スリット１２を閉じた状態に保持する各種構成を採用できる。
【００２４】
本ロック付コルゲートチューブ取付治具は、上記のようなロック付コルゲートチューブ１０をワイヤーハーネスＷＨに取付けるための治具である。
【００２５】
図３はロック付コルゲートチューブ取付治具を示す斜視図であり、図４はロック付コルゲートチューブ取付治具を示す正面図であり、図５はロック付コルゲートチューブ取付治具を示す平面図であり、図６はロック付コルゲートチューブ取付治具を示す側面図であり、図７はロック付コルゲートチューブ取付治具の使用状態を示す斜視図であり、図８は図７のＶＩＩＩ−ＶＩＩＩ線断面図である。
【００２６】
このロック付コルゲートチューブ取付治具２０は、治具本体部２２と、ロック用挟込部３０とを備えている。
【００２７】
治具本体部２２は、板状部材を略Ｕ字状に曲げた形状に形成されている。ここでは、略略二等辺三角形板状の部材を、その底辺の垂直２等分線に沿って略Ｕ字状に折曲げることで、治具本体部２２が形成されている。なお、略二等辺三角形板状の部材のうち、その底辺の垂直２等分線に沿って間隔をあけて複数の孔部２２ａが形成されている。そして、当該板状の部材を、予定している直線に沿って容易に曲げることができるようにしている。
【００２８】
上記治具本体部２２のうちの曲げ部分は、略Ｕ字状断面を有する半円筒状の線状体案内部２４に形成されている。この線状体案内部２４は、内部に挿入されたワイヤーハーネスＷＨを直線状の案内通路２４Ｐに沿って案内可能に構成されている。
【００２９】
また、治具本体部２２のうち線状体案内部２４を挟む両側片部分２６の外辺部分にチューブ案内部２８が設けられている。チューブ案内部２８は、ロック付コルゲートチューブ１０を、スリット１２で広げつつ線状体案内部２４で案内されるワイヤーハーネスＷＨに対して被覆できるように案内可能に構成されている。ここでは、治具本体部２２のうち線状体案内部２４を挟む両側片部分２６が、ワイヤーハーネスＷＨの案内通路２４Ｐの延在方向に対して斜行する外辺部分を有する略板状に形成されている。この両側片部分２６の外辺部分を外方に向けて延出するように折曲げることで、上記案内通路２４Ｐの延在方向に対して斜行する方向に延在するフランジ部２９が形成されている。この一対のフランジ部２９によってチューブ案内部２８が構成されている。
【００３０】
そして、スリット１２を広げた状態で、一対のフランジ部２９を、スリット１２を通じてロック付コルゲートチューブ１０内に挿入することで、ロック付コルゲートチューブ１０が、スリット１２を広げられた状態で、線状体案内部２４による案内通路２４Ｐの延在方向に斜行する方向に沿って案内される。
【００３１】
また、上記線状体案内部２４で案内されたワイヤーハーネスＷＨを引出しつつ、チューブ案内部２８で案内されたロック付コルゲートチューブ１０を引出すことで、上記のように広げられたスリット１２を通じてワイヤーハーネスＷＨがロック付コルゲートチューブ１０内に連続的に挿入され、ロック付コルゲートチューブ１０がワイヤーハーネスＷＨに連続的に被覆される（図７及び図８参照）。この後、ロック付コルゲートチューブ１０がさらに引出され、チューブ案内部２８によってスリット１２を開く力の影響がほぼ排除された箇所では、ロック付コルゲートチューブ１０のスリット１２を閉じることができる。
【００３２】
ロック用挟込部３０は、ワイヤーハーネスＷＨに被覆されたロック付コルゲートチューブ１０のロック部１４をロックするように、当該ロック付コルゲートチューブ１０をその両側から挟込み可能に構成されている。より具体的には、ロック用挟込部３０は、前記両側片部分２６のそれぞれに固定された一対のロック片３２を有している。
【００３３】
各ロック片３２は、長尺状の部材であり、基端部が両側片部分２６の外面であって線状体案内部２４からフランジ部２９側に離れた位置に固定されている。両側片部分２６に対するロック片３２の基端部の固定位置は、好ましくは、線状体案内部２４内を通過するワイヤーハーネスＷＨが両側片部分２６に接触する部分よりもフランジ部２９側に離れた位置であり、より好ましくは、案内通路２４ＰにおけるワイヤーハーネスＷＨの通過軌跡よりもフランジ部２９側に離れた位置である。なお、一対のロック片３２は、治具本体部２２と一体固定されたものであっても、別体で形成されて接着剤や係合構造等で固定されたものであってもよい。
【００３４】
また、各ロック片３２は、線状体案内部２４における案内通路２４Ｐの延長上に向けて延出している。そして、一対のロック片３２の先端側にある接触部３３が、ワイヤーハーネスＷＨに連続的に被覆されたロック付コルゲートチューブ１０を、その両側から挟込み可能な位置に配設されるようになっている。なお、一対のロック片３２の接触部３３は、ロック付コルゲートチューブ１０を挟込み可能な位置に配設されていればよく、当該接触部３３が正確に案内通路２４Ｐの延長上に配設されている必要はない。
【００３５】
また、各ロック片３２は、治具本体部２２の両側外方に迂回するように屈曲しつつ、案内通路２４Ｐの延長上に向けて延出している。各ロック片３２が外方に迂回するように屈曲する形態としては、略Ｖ字状に屈曲する形態又は弧状に屈曲する形態であっても構わない。ここでは、各ロック片３２は、基端部近傍で前方に向けて両側外方に傾斜状に延出し、それよりも先端側部分で前方に向けて内向き傾斜状に延出する形態とされている。
【００３６】
また、各ロック片３２は、軟質樹脂等の弾性変形容易な材料で形成されており、ロック付コルゲートチューブ１０の外径に応じて弾性変形可能に形成されている。各ロック片３２は、治具本体部２２とは独立して、即ち、ワイヤーハーネスＷＨを案内しているチューブ案内部２８を実質的に変形させることなく独立して、弾性変形変形可能に構成されていることが好ましい。このようなロック片３２の弾性強度の設定は、ロック片３２の幅や厚み等を適宜調整することで実現できる。
【００３７】
また、各ロック片３２の先端側にある接触部３３は、それよりも手前側の部分よりも内側に向けて曲げられている。本ロック片３２がロック付コルゲートチューブ１０を挟込む際に、接触部３３の先端部３３ａが主としてロック付コルゲートチューブ１０の外周面に接触するようになっている。
【００３８】
さらに、各ロック片３２の先端側にある接触部３３の内面は、ロック付コルゲートチューブ１０の外周形状に沿った弧状形状を有している。より具体的には、接触部３３の内面は、線状体案内部２４から引出されたワイヤーハーネスＷＨに被覆されたロック付コルゲートチューブ１０の送り方向に対して略直交する面において、ロック付コルゲートチューブ１０の外周形状に応じた弧状を呈する曲面形状を有している。
【００３９】
なお、ここでは、接触部３３の先端部３３ａが主にロック付コルゲートチューブ１０の外周面に接触する構成としているため、接触部３３の内面全体が上記弧状曲面形状を呈している必要はない。少なくとも接触部３３の先端部３３ａの内面がロック付コルゲートチューブ１０の外周形状に沿った弧状形状を有していればよい。
【００４０】
また、接触部３３の内面は、ロック付コルゲートチューブ１０の外周形状に正確に沿った弧状形状である必要はなく、両ロック片３２の接触部からロック付コルゲートチューブ１０が容易に逃げない程度に当該ロック付コルゲートチューブ１０をガイドし得る程度に弧状形状を呈していればよい。
【００４１】
このように構成されたロック付コルゲートチューブ取付治具２０を用いて、ワイヤーハーネスＷＨにロック付コルゲートチューブ１０を被覆したものを製造する手順について説明する。
【００４２】
まず、ロック付コルゲートチューブ１０及びワイヤーハーネスＷＨを準備する。そして、図７及び図８に示すように、治具本体部２２の両側片部分２６を開いて、線状体案内部２４内にワイヤーハーネスＷＨを挿入配置する。続いて、スリット１２を広げた状態で、一対のフランジ部２９を、スリット１２を通じてロック付コルゲートチューブ１０内に挿入する。そして、ロック付コルゲートチューブ１０の一端部を、一対のロック片３２間に引出しつつ線状体案内部２４より引出されたワイヤーハーネスＷＨに被せる。この状態で、ワイヤーハーネスＷＨ及びロック付コルゲートチューブ１０を引出すことで、ロック付コルゲートチューブ１０がワイヤーハーネスＷＨに連続的に被覆される。
【００４３】
この際、作業者が一対のロック片３２を閉じる方向に押えると、一対の接触部３３間でロック付コルゲートチューブ１０に対してスリット１２のロック部１４を閉じる力が作用し、当該ロック部１４が閉じられる。この状態で、ロック付コルゲートチューブ１０を引出すと、一対の接触部３３間でロック付コルゲートチューブ１０のロック部１４が連続的にロックされる。
【００４４】
図９は異なる外径を持つロック付コルゲートチューブを被覆する場合における一対のロック片の状態を示す説明図である。
【００４５】
すなわち、本ロック付コルゲートチューブ取付治具２０に対して、直径Ｄ１，直径Ｄ２、直径Ｄ３のロック付コルゲートチューブ１０の取付作業が想定されているとする。ここで、Ｄ１＞Ｄ２＞Ｄ３、である。
【００４６】
そして、中程度の直径Ｄ２のロック付コルゲートチューブ１０を取付ける場合には、一対のロック片３２の接触部３３は、外力を加えない状態で、ロック付コルゲートチューブ１０の外周面に接触している。そして、この状態から、一対のロック片３２に挟込む力を加えることで、ロック付コルゲートチューブ１０のスリット１２のロック部１４をロックすることができる。
【００４７】
また、小さい直径Ｄ３のロック付コルゲートチューブ１０を取付ける場合には、一対のロック片３２の接触部３３は、外力を加えない状態で、ロック付コルゲートチューブ１０の外周面から離間している。そして、この状態から、一対のロック片３２に挟込む力を加えて接触部をロック付コルゲートチューブ１０の外周面に接触させ、この状態からさらに力を加えることで、ロック付コルゲートチューブ１０のスリット１２のロック部１４をロックすることができる。
【００４８】
また、大きい直径Ｄ３のロック付コルゲートチューブ１０を取付ける場合には、一対のロック片３２の接触部３３は、外方に弾性変形しつつ、ロック付コルゲートチューブ１０の外周面に接触している。そして、この状態から、一対のロック片３２に挟込む力を加えることで、ロック付コルゲートチューブ１０のスリット１２のロック部１４をロックすることができる。
【００４９】
このように、一対のロック片３２は、外方に迂回するように屈曲しているため、異なる外径を持つロック付コルゲートチューブ１０を被覆するいずれの場合においても、一対のロック片３２の先端側にある接触部３３を、安定した態様でロック付コルゲートチューブ１０の外周面に接触させることができる。より具体的には、一対のロック片３２のうちの外方への迂回部分の間隔寸法程度までの外径を持つロック付コルゲートチューブ１０であれば、一対のロック片３２の接触部３３をロック付コルゲートチューブ１０の外周面に接触させてそれをロックすることができる。
【００５０】
ちなみに、一対のロック片が両側片部分２６の外面から外方に迂回せず直線的に延出している場合を想定すると、比較的大径のロック付コルゲートチューブ１０を被覆する場合には、一対のロック片は先端側に向けて外開き気味になるので、当該ロック付コルゲートチューブ１０をロックする力を作用させるのは困難になる。
【００５１】
なお、一対のロック片３２のうちロック付コルゲートチューブ１０を挟込む部分である先端部３３ａの間隔寸法は、取付作業対象として想定されるロック付コルゲートチューブ１０の直径範囲が直径Ｄ(min)〜Ｄ(max）であるとすると、そのほぼ中央値である直径Ｄ(mid）を持つロック付コルゲートチューブ１０の外周面に接触可能な程度に設定されることが好ましい。
【００５２】
このように、本ロック付コルゲートチューブ取付治具２０によると、ワイヤーハーネスＷＨに対してロック付コルゲートチューブ１０を被覆しつつ、ロック部１４でロック付コルゲートチューブ１０のスリット１２を閉じるようにロック部１４をロックできる。このため、ワイヤーハーネスＷＨに対するロック付コルゲートチューブ１０の被覆作業及びロック部１４のロック作業を同作業で行え、ロック付コルゲートチューブ１０の取付作業性に優れる。
【００５３】
また、板状部材を略Ｕ字状に折曲げることで、線状体案内部２４とチューブ案内部２８とを有する治具本体部２２を形成することができ、それらを比較的容易に製造できる。
【００５４】
また、一対のロック片３２は、両側片部分２６のそれぞれに線状体案内部２４からフランジ部２９側に離れた位置に固定されているので、一対のロック片３２と治具本体部２２とを一体化して取扱いを容易にできる。また、一対のロック片３２に挟込む力を加えた場合でも、線状体案内部２４には直接的な力があまり作用し難く、線状体案内部２４にワイヤーハーネスＷＨを容易に通過させることができる空間を得やすい。
【００５５】
また、一対のロック片３２は、外方に迂回するように屈曲しつつ延出しており、ロック付コルゲートチューブ１０の外径に応じて弾性変形可能に形成されているので、一対のロック片３２を弾性変形させてその先端部３３ａの間隔を適宜調整して、当該先端部３３ａを安定してロック片３２に接触させることができる。このため、多様な外径のロック付コルゲートチューブ１０をロックすることができる。
【００５６】
また、一対のロック片３２の先端側にある接触部３３が内側に曲げられているので、一対のロック片３２がロック付コルゲートチューブ１０をロックしようとする力を、接触部３３の先端部３３ａの接触部分である局所に集中させることができる。これにより、より確実にロック付コルゲートチューブ１０をロックすることができる。
【００５７】
また、一対のロック片３２の先端部３３ａの内面が、ロック付コルゲートチューブ１０の外周囲形状に沿った弧状形状を有しているため、一対のロック片３２の先端部３３ａの内面をロック付コルゲートチューブ１０の外周面に接触させた状態で、当該先端部３３ａがロック付コルゲートチューブ１０から逃げ難く、ロック片３２とロック付コルゲートチューブ１０とのずれを防止できる。これにより、ロック付コルゲートチューブ１０に対してロックする力をより確実に作用させることができ、ロック付コルゲートチューブ１０をより確実にロックすることができる。
【００５８】
図１０は変形例に係るロック付コルゲートチューブ取付治具を示す斜視図であり、図１１は同ロック付コルゲートチューブ取付治具を示す側面図である。
【００５９】
上記実施形態に係るロック付コルゲートチューブ取付治具２０との同様構成部分については同一符号を付し、相違点を中心に説明する。この変形例に係るロック付コルゲートチューブ取付治具１２０では、上記ロック用挟込部３０に変えて、次のロック用挟込部１３０を備えている。このロック用挟込部１３０は、一対のロック片１３２を有している。一対のロック片１３２は、直線状に延びる長尺形状を有しており、その基端部が両側片部分２６のうち線状体案内部２４近傍部分に固定されている。また、一対のロック片１３２は、当該固定部分から線状体案内部２４による案内通路２４Ｐに沿って略直線状に延出している。また、一対のロック片１３２の内面１３２ａは、ロック付コルゲートチューブ１０の外周囲形状に沿って湾曲する湾曲面に形成されている。
【００６０】
かかるロック付コルゲートチューブ取付治具１２０によっても、上記実施形態と同様にして、ロック付コルゲートチューブ１０をワイヤーハーネスＷＨに被覆しつつ、ロック付コルゲートチューブ１０のスリット１２を閉じるようにロックすることができる。
【００６１】
また、図１２は一対のロック片に係る変形例を示している。図１２では、棒状のロック片２３２の先端部分を略Ｌ字状に折曲げている。そして、その折曲げ部分２３２ａでロック付コルゲートチューブ１０を挟込むようにして、当該ロック付コルゲートチューブ１０のスリット１２を閉じるようにロック部１４をロックできるようにしている。
【００６２】
このように、ロック片３２，１３２，２３２の形状は、ロック付コルゲートチューブ１０を挟込める形状であればよい。さらには、ロック用挟込部３０は、必ずしも一対のロック片３２を有する構成である必要はなく、半筒状又は筒状等、ロック付コルゲートチューブ１０に対してその長手方向に沿って連続的に挟込む力を加えられる構成であればよい。
【００６３】
また、上記実施形態等では、線状体案内部２４とチューブ案内部２８とが治具本体部２２に一体形成されているが、これらは別体で形成されていてもよい。また、ロック用挟込部３０も、線状体案内部２４やチューブ案内部２８とは別体で形成され、これらとは別箇所に固定されていてもよい。
【図面の簡単な説明】
【００６４】
【図１】線状体であるワイヤーハーネスにロック付コルゲートチューブを取付けた状態を示す平面図である。
【図２】ロック付コルゲートチューブを示す断面図である。
【図３】実施形態に係るロック付コルゲートチューブ取付治具を示す斜視図である。
【図４】同上のロック付コルゲートチューブ取付治具を示す正面図である。
【図５】同上のロック付コルゲートチューブ取付治具を示す平面図である。
【図６】同上のロック付コルゲートチューブ取付治具を示す側面図である。
【図７】同上のロック付コルゲートチューブ取付治具の使用状態を示す斜視図である。
【図８】図７のＶＩＩＩ−ＶＩＩＩ線断面図である。
【図９】異なる外径を持つロック付コルゲートチューブを被覆する場合における一対のロック片の状態を示す説明図である。
【図１０】変形例に係るロック付コルゲートチューブ取付治具を示す斜視図である。
【図１１】同上のロック付コルゲートチューブ取付治具を示す側面図である。
【図１２】一対のロック片に係る変形例を示す図である。
【符号の説明】
【００６５】
１０  ロック付コルゲートチューブ
１２  スリット
１４  ロック部
２０，１２０  ロック付コルゲートチューブ取付治具
２２  治具本体部
２４  線状体案内部
２４Ｐ  案内通路
２６  側片部分
２８  チューブ案内部
２９  フランジ部
３０，１３０  ロック用挟込部
３２，１３２，２３２  ロック片
３３  接触部
３３ａ  先端部
ＷＨ  ワイヤーハーネス
【図１】
2008301614.tif 000003
【図２】
2008301614.tif 000004
【図３】
2008301614.tif 000005
【図４】
2008301614.tif 000006
【図５】
2008301614.tif 000007
【図６】
2008301614.tif 000008
【図７】
2008301614.tif 000009
【図８】
2008301614.tif 000010
【図９】
2008301614.tif 000011
【図１０】
2008301614.tif 000012
【図１１】
2008301614.tif 000013
【図１２】
2008301614.tif 000014